(57)【要約】      （修正有）【課題】ユーザの情報を適切に保護するとともに、事業者に対しては所望のユーザに対して適切なコンテンツを配信することができるコンテンツ配信システムを提供する。【解決手段】コンテンツ配信システムにおける管理サーバ１は、利用を許諾されたユーザ情報を記憶するユーザ情報記憶部１５１と、事業者からの要求により、ユーザ情報に基づいてコンテンツの配信先候補となるユーザを抽出する抽出部１１２と、抽出されたユーザに対してコンテンツに関するオファー情報を配信し、ユーザからの応答に基づいてコンテンツを配信する配信部１１３と、ユーザからの応答に基づいて、対価を付与する付与部１１４と、を備える。【選択図】図３
2020119485.tif 000002
【特許請求の範囲】
【請求項１】
ユーザ端末と、管理サーバと、事業者端末とを備えるコンテンツ配信システムであって、ユーザ端末に対して事業者端末から提供される所定のコンテンツを配信するコンテンツ配信システムにおいて、
前記管理サーバは、
複数のユーザそれぞれからユーザ情報を取得する取得部と、
前記事業者からの要求により、前記ユーザ情報に基づいて前記コンテンツの配信先候補となるユーザを抽出する抽出部と、
前記抽出されたユーザに対して前記コンテンツに関するオファー情報を配信し、当該ユーザからの応答に基づいて当該ユーザに前記コンテンツを配信する配信部と、
前記ユーザからの応答に基づいて、当該ユーザに対価を付与する付与部と、
少なくとも、前記対価の付与の履歴、他の対価への交換の履歴又は対価の失効の履歴のいずれかに関する情報を提供するポイント履歴提供部
を備えている
コンテンツ配信システム。
【発明の詳細な説明】
【技術分野】
【０００１】
本発明は、コンテンツ配信システム及びプログラムに関する。
【背景技術】
【０００２】
従来から、ユーザに対して、広告等のコンテンツを提示するシステムが提案されている（たとえば特許文献１参照）。このようなシステムでは、ユーザが閲覧している画面領域の一部に表示された広告バナーがユーザにより選択されることで、当該広告バナーに関連付けられたｗｅｂページに遷移する。
【先行技術文献】
【特許文献】
【０００３】
【特許文献１】特開２０１３−２１４２０４号公報
【発明の概要】
【発明が解決しようとする課題】
【０００４】
しかしながら、このようなシステムでは、ユーザ個人の情報が無断で使われた広告が表示されたり、ユーザにとって興味のない広告が表示されたりすることがあり、ユーザに対して違和感や不快感を与えることがあった。また、広告を出稿する事業者にとっても、ユーザ個人の情報を無断で使った事業者であるとして商品や事業者のイメージ悪化に繋がったり、興味のないユーザにも広告を出すことで出稿費が高額化したりするという問題があった。
【０００５】
本発明はこのような背景を鑑みてなされたものであり、ユーザの情報を適切に保護するとともに、事業者に対しては所望のユーザに対して適切なコンテンツを配信するコンテンツ配信システムを提供することを目的とする。
【課題を解決するための手段】
【０００６】
上記課題を解決するための本発明の主たる発明は、ユーザに対して事業者のコンテンツを配信するコンテンツ配信システムであって、複数のユーザそれぞれから利用を許諾されたユーザ情報を記憶する記憶部と、前記事業者からの要求により、前記ユーザ情報に基づいて前記コンテンツの配信先候補となるユーザを抽出する抽出部と、前記抽出されたユーザに対して前記コンテンツに関するオファー情報を配信し、当該ユーザからの応答に基づいて当該ユーザに前記コンテンツを配信する配信部と、を備えることを特徴とする。
【０００７】
その他本願が開示する課題やその解決方法については、発明の実施形態の欄及び図面により明らかにされる。
【発明の効果】
【０００８】
本発明によれば、ユーザに対して違和感や不快感を与えることがなく、かつ事業者に対してもイメージ悪化や出稿費の高額化を抑制するコンテンツ配信システム及びプログラムを提供することができる。
【図面の簡単な説明】
【０００９】
【図１】本発明の一実施形態に係るコンテンツ配信システムの全体構成例を示す図である。
【図２】管理サーバ１のハードウェア構成例を示す図である。
【図３】管理サーバ１のソフトウェア構成例を示す図である。
【図４】ユーザ情報の構成例を示す図である。
【図５】コンテンツ情報の構成例を示す図である。
【図６】コイン情報の構成例を示す図である。
【図７】管理サーバ１により実行される処理について説明する図である。
【図８】ユーザ端末２において表示されるユーザ情報の入力管理画面３００の一例を示す図である。
【図９】事業者端末３において表示される配信先候補の検索条件指定画面４００の一例を示す図である。
【図１０】事業者端末３において表示される検索結果画面５００の一例を示す図である。
【図１１】ユーザ端末２において表示されるオファー通知画面６００の一例を示す図である。
【図１２】ユーザ端末２において表示される対価通知画面７００の一例を示す図である。
【図１３】管理サーバ１により実行される処理について説明する図である。
【図１４】本発明の他の実施の形態によるコンテンツ配信システムの構成例である。
【図１５】本発明の更に他の実施の形態によるコンテンツ配信システムの構成例である。
【図１６】ユーザのコイン利用履歴のデータテーブルの例である。
【図１７】ユーザの情報提供履歴のデータテーブルの例である。
【発明を実施するための形態】
【００１０】
本発明の一実施形態の内容を列記して説明する。本発明の一実施形態によるコンテンツ配信システム及びプログラムは、以下のような構成を備える。
【００１１】
［項目１］
ユーザに対して事業者のコンテンツを配信するコンテンツ配信システムであって、
複数のユーザそれぞれから利用を許諾されたユーザ情報を記憶する記憶部と、
前記事業者からの要求により、前記ユーザ情報に基づいて前記コンテンツの配信先候補となるユーザを抽出する抽出部と、
前記抽出されたユーザに対して前記コンテンツに関するオファー情報を配信し、当該ユーザからの応答に基づいて当該ユーザに前記コンテンツを配信する配信部と、
前記ユーザからの応答に基づいて、当該ユーザに対価を付与する付与部と、
を備えることを特徴とするコンテンツ配信システム。
このような構成によれば、ユーザに対して違和感や不快感を与えることがなく、かつ事業者に対してもイメージ悪化や出稿費の高額化を抑制するコンテンツ配信システムを提供することができる。また、事業者に対してユーザ情報が送信されないため、ユーザのプライバシーを保護することができる一方、事業者がコンテンツを配信したいユーザを抽出するため、事業者にとって効率的なコンテンツ配信を行うことができる。
［項目２］
前記ユーザからの応答に基づいて、当該ユーザに対価を付与する付与部
を更に備える、請求項１に記載のコンテンツ配信システム。
［項目３］
前記事業者から、前記コンテンツの配信に関する予算情報を取得する取得部を更に備え、
前記付与部は、取得した前記予算情報に基づいて、前記対価を決定する、
請求項２に記載のコンテンツ配信システム。
［項目４］
前記配信部は、前記オファー情報が配信されたユーザから、前記コンテンツの配信を承諾する応答があった場合、当該ユーザに前記コンテンツを配信し、
前記付与部は、前記ユーザから前記コンテンツの配信を承諾する応答があった場合、当該ユーザに第１対価を付与する、
ことを特徴とする項目１に記載のコンテンツ配信システム。
このような構成によれば、ユーザに対してコンテンツの配信を承諾するインセンティブを与えることができるため、事業者にとって効果的なコンテンツ配信を行うことができる。
［項目５］
前記付与部は、前記オファー情報が配信されたユーザから、前記事業者による質問に回答する応答があったとき、当該ユーザに第２対価を付与する、
ことを特徴とする項目２に記載のコンテンツ配信システム。
このような構成によれば、ユーザに対して事業者の質問に回答するインセンティブを与えることができるため、事業者にとって効果的な情報収集を行うことができる。
［項目６］
少なくとも前記第１対価又は前記第２対価の価値は、所定の条件に応じて変動する、
請求項３に記載のコンテンツ配信システム。
［項目７］
前記オファー情報には、前記第１対価に関する情報が含まれている、
ことを特徴とする項目２乃至４のいずれか１項に記載のコンテンツ配信システム。
このような構成によれば、ユーザに対してコンテンツの配信を承諾する動機づけを与えることができるため、事業者にとって効果的なコンテンツ配信を行うことができる。
［項目８］
ユーザに対して事業者のコンテンツを配信するプログラムであって、
コンピュータを、
複数のユーザそれぞれから利用を許諾されたユーザ情報を記憶する記憶手段、
前記事業者からの要求により、前記ユーザ情報に基づいて前記コンテンツの配信先候補となるユーザを抽出する抽出手段、
前記抽出されたユーザに対して前記コンテンツに関するオファー情報を配信し、当該ユーザからの応答に基づいて当該ユーザに前記コンテンツを配信する配信手段、
前記ユーザからの応答に基づいて、当該ユーザに対価を付与する付与手段、
として機能させることを特徴とするプログラム。
このような構成によれば、ユーザに対して違和感や不快感を与えることがなく、かつ事業者に対してもイメージ悪化や出稿費の高額化を抑制するプログラムを提供することができる。また、事業者に対してユーザ情報が送信されないため、ユーザのプライバシーを保護することができる一方、事業者がコンテンツを配信したいユーザを抽出するため、事業者にとって効率的なコンテンツ配信を行うことができる。
【００１２】
＜第１の実施の形態＞
図１は、本発明の一実施形態に係るコンテンツ配信システムの全体構成例を示す図である。本実施形態のコンテンツ配信システムは、管理サーバ１を含んで構成される。管理サーバ１は、一又は複数のユーザ端末２および事業者端末３と通信ネットワーク４を介して通信可能に接続される。通信ネットワーク４は、たとえばインターネットであり、公衆電話回線網や携帯電話回線網、無線通信路、イーサネット（登録商標）などにより構築される。なお、本実施形態では、事業者端末３は、ユーザ端末２と直接通信することはできず、管理サーバ１を介して情報のやりとりが行われる。
【００１３】
本実施形態のコンテンツ配信システムは、一又は複数のユーザに対して、コンテンツの一例としての広告を配信しようとするものである。本実施形態のコンテンツ配信システムは、たとえば、オファー情報に対するユーザの応答に基づいて、当該ユーザに広告や対価を提供する。
【００１４】
管理サーバ１は、複数のユーザに関するユーザ情報を蓄積するデータバンクとして機能したり、事業者端末３からの要求に応じてユーザ端末２に対してオファー情報や広告を配信するマーケティングプラットフォームとして機能したりするコンピュータである。管理サーバ１は、たとえば、パーソナルコンピュータやワークステーション、クラウドコンピューティングによる仮想的なコンピュータである。管理サーバ１は、事業者端末３から広告の配信先候補（ターゲット）となるユーザを検索する要求を受け付けると、蓄積（記憶）されたユーザ情報に基づいて配信先候補となるユーザを抽出する。次に、管理サーバ１は、事業者端末３から当該配信先候補となるユーザに対してオファー情報を送信する要求を受け付けると、ユーザに対してオファー情報を送信する。そして、管理サーバ１は、ユーザからのオファー情報に対する応答に基づいて、当該ユーザに対して事業者の広告を配信し、当該ユーザに対して対価を付与する。管理サーバ１は、いわゆるＷｅｂアプリケーションとしてこれらの機能を実行することを想定する。
【００１５】
ユーザ端末２および事業者端末３は、携帯電話、スマートフォン、タブレットコンピュータ、パーソナルコンピュータなどのコンピュータである。
【００１６】
ユーザ端末２は、ユーザの選択に応じて管理サーバ１に送信（蓄積）するユーザ情報（パーソナルデータ）を入力または管理するパーソナルデータ管理装置として機能したり、管理サーバ１から送信されたオファー情報に対する応答などを行うコミュニケーション装置として機能したりする。ユーザ端末２には、たとえば、本実施形態に係るコンテンツ配信システムに対応するアプリケーションソフトがインストールされている。
【００１７】
事業者端末３は、事業者（担当者）が管理サーバ１に対して、広告の配信先候補となるユーザを検索する要求をしたり、検索されたユーザにオファー情報や広告を配信する要求をしたりするマーケティングプラットフォームとして機能する。なお、事業者端末３は、管理サーバ１とは異なり、管理サーバ１に記憶されているユーザ情報の参照やユーザ端末２との通信が規制されている。
【００１８】
図２は、管理サーバ１のハードウェア構成例を示す図である。管理サーバ１は、少なくとも、制御部１０、メモリ１１、ストレージ１２、送受信部１３、入出力部１４等を備え、これらはバス１５を通じて相互に電気的に接続される。制御部１０は、管理サーバ１全体の動作を制御し、各要素間におけるデータの送受信の制御、及びアプリケーションの実行及び認証処理に必要な情報処理等を行う演算装置である。例えば制御部１０はＣＰＵ（Ｃｅｎｔｒａｌ  Ｐｒｏｃｅｓｓｉｎｇ  Ｕｎｉｔ）であり、ストレージ１２に格納されメモリ１１に展開されたプログラム等を実行して各情報処理を実施する。メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶と、フラッシュメモリやＨＤＤ（Ｈａｒｄ  Ｄｉｓｃ  Ｄｒｉｖｅ）等の不揮発性記憶装置で構成される補助記憶と、を含む。メモリ１１は、プロセッサ１０のワークエリア等として使用され、また、管理サーバ１の起動時に実行されるＢＩＯＳ（Ｂａｓｉｃ  Ｉｎｐｕｔ／Ｏｕｔｐｕｔ  Ｓｙｓｔｅｍ）、及び各種設定情報等を格納する。ストレージ１２は、アプリケーション・プログラム等の各種プログラムを格納する。各処理に用いられるデータを格納したデータベース（図示せず）がストレージ１２に構築されていてもよい。送受信部１３は、管理サーバ１を通信ネットワーク４に接続する。なお、送受信部１３は、Ｂｌｕｅｔｏｏｔｈ（登録商標）やＷｉ−Ｆｉ（登録商標）などの近距離通信インターフェースを備えていてもよい。入出力部１４は、キーボード・マウス類等の情報入力機器、及びディスプレイ等の出力機器である。バス１５は、上記各要素に共通に接続され、例えば、アドレス信号、データ信号及び各種制御信号を伝達する。
【００１９】
図３は、管理サーバ１のソフトウェア構成例を示す図である。管理サーバ１は、受付部１１１、抽出部１１２、配信部１１３、付与部１１４、ユーザ情報記憶部１５１、コンテンツ情報記憶部１５２、およびコイン情報記憶部１５３を備える。
【００２０】
なお、受付部１１１、抽出部１１２、配信部１１３および付与部１１４は、管理サーバ１が備える制御部１０がストレージ１２に記憶されているプログラムをメモリ１１に読み出して実行することにより実現される。また、ユーザ情報記憶部１５１、コンテンツ情報記憶部１５２およびコイン情報記憶部１５３は、メモリ１１およびストレージ１２の少なくともいずれかにより提供される記憶領域の一部として実現される。
【００２１】
ユーザ情報記憶部１５１は、複数のユーザそれぞれから利用を許諾されたユーザに関する情報（以下、ユーザ情報という。）を記憶する。ユーザ情報は、いわゆるパーソナルデータであって、ユーザが自ら登録した情報や、ユーザ端末２に記憶されている情報、ユーザが利用している各種アプリのサーバに記憶されている情報などである。図４は、ユーザ情報の構成例を示す図である。
【００２２】
図４に示すように、ユーザ情報は、ユーザを識別するための情報（ユーザＩＤ、識別記号等）、）基本情報、利用サービス情報および付加情報から構成される。
【００２３】
基本情報は、プロフィール情報、ステータス情報および趣味嗜好情報から構成されている。プロフィール情報は、年齢（生年月日）、性別、国籍、身長、体重などの項目から構成されている。ステータス情報は、居住地域、住所、職種、年収、未婚／結婚などの項目から構成されている。趣味嗜好情報は、趣味、飲酒の有無、喫煙の有無、好物、好きなブランドなどの項目から構成されている。
各項目に格納されている情報は、ユーザによって事前に登録されたアンケートなどの情報や、ユーザ端末２に記憶されている情報である。なお、各項目において、ユーザが利用を許諾しなかった情報、または登録を行わなかった情報には、「＃Ｎ／Ａ」が格納されている。
【００２４】
利用サービス情報は、金融アプリ情報、管理アプリ情報、ライフログアプリ情報、ＩＴ利用状況情報、ＥＣアプリ情報およびＳＮＳアプリ情報から構成されている。金融アプリ情報は、銀行アプリ、クレジットカードアプリ、家計簿アプリ、投資アプリ、決済系アプリなどの項目から構成されている。管理アプリ情報は、カレンダーアプリ、名刺アプリ、連絡先アプリなどの項目から構成されている。ライフログアプリ情報は、ヘルスケアアプリ、睡眠アプリ、ダイエットアプリなどの項目から構成されている。ＩＴ利用状況情報は、端末の利用時間、データ通信量、通話時間などの項目から構成されている。ＥＣアプリ情報は、Ｅコマースに関する各アプリ（ショッピングアプリ）の項目から構成されている。ＳＮＳアプリ情報は、ＳＮＳに関する各アプリ（ＳＮＳアプリ）の項目から構成されている。
各項目において、ユーザから連動（同期）が許諾されたアプリに対しては「連動済」が格納され、管理サーバ１はアプリのサーバにあるユーザに関する情報を自動的に取り込むことができる。例えば、銀行アプリと連動（同期）している場合には、事前にユーザによってログインＩＤとパスワードが登録されており、管理サーバ１は銀行アプリのサーバから出金や入金などの明細を自動で取り込むことができる。なお、各項目において、ユーザが連動を許諾しなかったアプリ、ユーザが利用していないアプリ、またはユーザが利用を許諾しなかった情報には、「＃Ｎ／Ａ」が格納されている。
【００２５】
付加情報は、レシート画像情報、商品・店舗画像情報および位置情報から構成されている。レシート画像情報は、撮影された日付ごとにユーザが購入した商品のレシート画像が格納されている。商品・店舗画像情報は、撮影された日付ごとにユーザが購入した商品や店舗の画像が格納されている。位置情報は、特定された日付ごとにユーザ端末２のＧＰＳで特定された位置情報（緯度および経度）が格納されている。なお、ユーザは、これらの付加情報（画像）に対しても、利用を許諾するか否かをユーザ端末２において選択することができる。
【００２６】
コンテンツ情報記憶部１５２は、複数の事業者それぞれに対応するコンテンツの情報（以下、コンテンツ情報という。）を記憶する。図５は、コンテンツ情報の構成例を示す図である。
【００２７】
図５に示すように、コンテンツ情報には、事業者に対応付けて、データファイル、アンケートファイル、第１対価および第２対価が含まれている。データファイルは、事業者の商品等に関する広告のデータであって、たとえば、動画広告や記事広告である。なお、データファイルは、広告ページのＵＲＬであってもよい。アンケートファイルには、事業者の商品やイメージに関するアンケート（質問）が記述されている。本実施形態では、このアンケートは、オファー情報とともにユーザに送信される。第１対価は、コンテンツの配信（閲覧）を承諾した一のユーザに対して付与される対価である。第２対価は、事業者によるアンケート（質問）に回答した一のユーザに対して付与される対価である。なお、各ユーザに付与される第１対価と第２対価は、事業者の広告出稿料の一部又は全部が充てられている。本実施形態では、第１対価は、第２対価よりも高く設定されている。
【００２８】
コイン情報記憶部１５３は、各ユーザの所有コインに関する情報（以下、コイン情報という。）を記憶する。図６は、コイン情報の構成例を示す図である。
【００２９】
図６に示すように、コイン情報には、複数のユーザそれぞれに対応付けて、所有コイン数が含まれている。なお、後述するように、配信部１１３は、ユーザに対価としてのコインを付与した場合、この所有コイン数を上昇させる。
【００３０】
なお、各ユーザは、所有しているコインや、所有の履歴、交換等の履歴、失効の履歴等を管理・把握すること可能である。
【００３１】
受付部１１１は、複数のユーザ端末２それぞれから利用を許諾されたユーザ情報などを受け付け、ユーザ情報記憶部１５１に記憶する。また、受付部１１１は、事業者端末３からの各種要求を受け付ける。
【００３２】
抽出部１１２は、事業者端末３（事業者）からの広告の配信先候補となるユーザを検索する要求により、ユーザ情報記憶部１５１のユーザ情報に基づいて広告の配信先候補となるユーザを抽出する。
【００３３】
配信部１１３は、事業者端末３（事業者）からの広告の配信先候補となるユーザに対してオファー情報を送信する要求により、当該ユーザに対してオファー情報を送信（配信）する。また、配信部１１３は、オファー情報が送信されたユーザからの応答に基づいて、当該ユーザに対して事業者の広告を配信する。本実施形態では、配信部１１３は、ユーザが広告の配信に関するオファーを承諾する応答をした場合、当該ユーザに対して事業者の広告を配信する。
【００３４】
付与部１１４は、ユーザに対して対価（第１対価および第２対価）を付与する。本実施形態では、付与部１１４は、ユーザからオファーを承諾する応答があった場合、当該ユーザに対して第１対価を付与する。また、本実施形態では、付与部１１４は、ユーザがオファーとともに送信されたアンケート（質問）に回答する応答があった場合、当該ユーザに対して第２対価を付与する。
【００３５】
図７は、管理サーバ１により実行される処理について説明する図である。
【００３６】
受付部１１１は、ユーザ端末２から送信されたユーザ情報を受け付ける（ステップＳ２０１）。本実施形態では、受付部１１１は、ユーザ端末２から利用を許諾する選択が行われたユーザ情報の送信を受け付ける。
【００３７】
図８は、ユーザ端末２において表示されるユーザ情報の入力管理画面３００の一例を示す図である。本実施形態では、ユーザ端末２は、本実施形態に係るコンテンツ配信システムに対応するアプリケーションソフトが起動されたことにより、入力管理画面３００を表示させる。同図では、ユーザ情報における基本情報（プロフィール）に関する項目を入力するための入力欄３０１、当該項目の利用を許諾するか否かを選択するスライドボタン３０２、および各項目に入力された入力情報と利用を許諾するか否かの選択情報を管理サーバ１に送信するための送信ボタン３０３が示されている。
ユーザ端末２は、ユーザによって送信ボタン３０３が押下された場合、残りの基本情報（ステータス情報など）や利用サービス情報などを入力したり、当該入力した項目（情報）の利用やアプリ等との連動を許諾するか否かを選択したりすることができる画面に遷移し、これらの入力情報や選択情報を管理サーバ１に送信することができる。
なお、ユーザ端末２は、ユーザによって入力欄３０１に入力された情報（項目）に対して、「利用許諾しない」が選択されていた場合には、当該入力された情報を管理サーバ１には送信せず、アプリケーションソフトに対応付けてユーザ端末２内に記憶する。
【００３８】
図７に戻り、受付部１１１は、ユーザ端末２から送信されたユーザ情報をユーザ情報記憶部１５１に記憶する（ステップＳ２０２）。
【００３９】
受付部１１１は、事業者端末３から広告の配信先候補を検索する要求を受け付ける（ステップＳ２０３）。本実施形態では、受付部１１１は、事業者端末３から広告の配信先候補を抽出するための検索条件を受け付ける。
【００４０】
図９は、事業者端末３において表示される配信先候補の検索条件指定画面４００の一例を示す図である。事業者端末３は、管理サーバ１が提供するＷｅｂアプリケーションにアクセスすることにより、検索条件指定画面４００を表示させる。同図では、事業者が広告の配信先候補となるユーザを抽出するための検索条件を入力する入力欄４０１、さらに詳細な検索条件を入力するための詳細条件追加ボタン４０２、および入力した検索条件を管理サーバ１に送信するための検索実行ボタン４０３が示されている。
なお、事業者端末３は、事業者（担当者）から詳細条件追加ボタン４０２が押下された場合、ユーザ情報に関する他の項目を検索条件に指定することができる画面を表示させる。
【００４１】
図７に戻り、抽出部１１２は、事業者からの要求により、広告の配信先候補となるユーザを抽出する（ステップＳ２０４）。本実施形態では、抽出部１１２は、ユーザ情報記憶部１５１を参照し、事業者端末３から送信された検索条件に合致する一又は複数のユーザを抽出（検索）する。
【００４２】
抽出部１１２は、広告の配信先候補として抽出（検索）した結果を事業者端末３に送信する（ステップＳ２０５）。本実施形態では、抽出部１１２は、上記ステップＳ２０４で抽出したユーザ数を事業者端末３に送信する。
【００４３】
図１０は、事業者端末３において表示される検索結果画面５００の一例を示す図である。同図では、配信先候補として検索（抽出）されたユーザ数を示す結果提示領域５０１、検索されたユーザに対してオファーを送信するためのオファー実行ボタン５０２、配信先候補を再検索するための再検索ボタン５０３が示されている。
【００４４】
図７に戻り、受付部１１１は、事業者端末３からオファーを送信する要求を受け付ける（ステップＳ２０６）。本実施形態では、受付部１１１は、事業者端末３においてオファー実行ボタン５０２が押下された場合に、事業者端末３からオファーを送信する要求を受け付ける。
【００４５】
配信部１１３は、ユーザにオファー情報を送信する（ステップＳ２０７）。本実施形態では、配信部１１３は、上記ステップＳ２０４で抽出されたユーザのユーザ端末２に対して、広告の配信に関するオファー情報を送信（配信）する。また、配信部１１３は、コンテンツ情報記憶部１５２を参照し、オファーを送信する要求を行った事業者のアンケートファイルを取得して、オファー情報とともに当該アンケートファイルをユーザ端末２に送信する。また、本実施形態では、オファー情報には、第１対価に関する情報と第２対価に関する情報が含まれている。
【００４６】
上述した第１対価又は第２対価のすくなくともいずれかは、所定の条件に応じて変動させることとしてもよい。ここで、所定の条件の例示としては、商品（コンテンツ）の属性や、ユーザの行動（購買活動、過去のオファー情報に対する対応行動等）等が上げられるがこれに限られない。
【００４７】
図１１は、ユーザ端末２において表示されるオファー通知画面６００の一例を示す図である。同図では、オファーの詳細情報を示す詳細情報提示領域６０１、第１対価に関する情報を示す第１対価提示領域６０２、オファーを承諾するための承諾ボタン６０３、第２対価に関する情報を示す第２対価提示領域６０４、オファーは承諾せずにアンケートのみ回答するための回答ボタン６０５、およびオファーとアンケートの回答を拒否するための拒否ボタン６０６が示されている。
ユーザ端末２は、ユーザによって承諾ボタン６０３が押下された場合、管理サーバ１にオファーを承諾する旨の応答を行う。また、ユーザ端末２は、ユーザによって回答ボタン６０５が押下された場合、オファー情報とともに送信されたアンケートファイルを開いてユーザからのアンケートに対する回答を受け付け、当該回答を管理サーバ１に送信する応答を行う。また、ユーザ端末２は、ユーザによって拒否ボタン６０６が押下された場合、管理サーバ１にオファーを拒否する旨の応答を行う。
【００４８】
図７に戻り、受付部１１１は、ユーザ端末２からのオファーに対する応答を受け付ける（ステップＳ２０８）。本実施形態では、受付部１１１は、オファーに対する応答として、「オファーの承諾」、「アンケートのみ回答」、および「オファーの拒否」の３通りの応答のいずれかを受け付ける。
【００４９】
配信部１１３は、上記ステップＳ２０８の応答が「オファーの承諾」であったか否かを判定する（ステップＳ２０９）。当該判定が肯定された場合には、処理はステップＳ２１０に進み、否定された場合には、処理はステップＳ２１２に進む。
【００５０】
配信部１１３は、ユーザ端末２に広告の配信を行う（ステップＳ２１０）。なお、本実施形態では、配信部１１３は、ユーザ端末２から広告の閲覧が完了したことを通知する情報が送信されたことを条件に、次のステップＳ２１１に進むこととしてもよい。
【００５１】
付与部１１４は、ユーザに第１対価を付与する（ステップＳ２１１）。本実施形態では、付与部１１４は、コイン情報記憶部１５３におけるユーザに対応する所有コイン数を上昇させる。なお、付与部１１４は、コンテンツ情報記憶部１５２に記憶されている第１対価をユーザの所有コイン数の上昇量とする。
【００５２】
配信部１１３は、上記ステップＳ２０８の応答が「アンケートのみ回答」であったか否かを判定する（ステップＳ２１２）。当該判定が肯定された場合には、処理はステップＳ２１３に進み、否定された場合には、処理はステップＳ２１４に進む。
【００５３】
付与部１１４は、ユーザに第２対価を付与する（ステップＳ２１３）。本実施形態では、付与部１１４は、コイン情報記憶部１５３におけるユーザに対応する所有コイン数を上昇させる。なお、付与部１１４は、コンテンツ情報記憶部１５２に記憶されている第２対価をユーザの所有コイン数の上昇量とする。
【００５４】
配信部１１３は、上記ステップＳ２１１または上記ステップＳ２１３において付与された対価をユーザ端末２に通知する（ステップＳ２１４）。なお、配信部１１３は、対価が付与されなかったユーザに対しては、当該通知を行わない。
【００５５】
図１２は、ユーザ端末２において表示される対価の獲得通知画面７００の一例を示す図である。同図では、ユーザが獲得した対価の詳細情報を示す詳細情報提示領域７０１が示されている。
【００５６】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【００５７】
本実施形態では、管理サーバ１が機能部と記憶部とを両方備えているものとしたが、これに限らず、たとえば、記憶部をデータベースサーバが備えるようにし、管理サーバ１からデータベースサーバにアクセスするようにしてもよい。
【００５８】
本実施形態では、受付部１１１は、上記ステップＳ２０１においてユーザ端末２から利用を許諾する選択が行われたユーザ情報の送信を受け付けることを説明したが、利用を許諾しないユーザ情報の送信を受け付けてもよい。この場合、受付部１１１は、ステップＳ２０２において送信されたユーザ情報をユーザ情報記憶部１５１に記憶する際、利用が許諾されていないユーザ情報には、配信先候補の検索（抽出）に使用しないことを示す情報を付加する。
【００５９】
本実施形態では、配信部１１３は、上記ステップＳ２０７においてユーザ端末２に広告に関するオファー情報を送信することを説明したが、このオファー情報とともに広告（コンテンツ）も送信することとしてもよい。この場合、ユーザ端末２は、ユーザからオファーを承諾する応答があったとき、オファー情報の表示（オファー通知）に続けて広告を表示させる。
【００６０】
上述した実施の形態においては、ユーザは自己のユーザ端末の情報のうち、事業者に提供してもよい一部の情報を管理サーバ１に送信することとしていた。即ち、管理サーバ１は、ユーザ端末の一部の情報を管理することとしていた。しかしながら、例えば、送信した情報の一部を特定の事業者に対して提供可能又は不可能にしたりというカスタマイズをすることとしてもよい。これにより、情報の許諾のパターンや、事業者毎の提供のカスタマイズが可能になる。
【００６１】
また、ユーザ端末から全ての情報を一括で送信させることとし、送信した情報に全ての事業者又は事業者毎に許諾の可否を表すラベルを付すこととしてもよい。これにより、ユーザは、管理サーバに送信する情報をユーザ端末側で選択する必要がなくなる。
【００６２】
＜第２の実施の形態＞
続いて、本発明の第２の実施の形態を説明する。図１３は、本実施の形態において管理サーバ１により実行される処理について説明する図である。なお、本実施の形態においては、上述した実施の形態において同一の機能を有する要素（図３等参照）については同一の参照符号を付してその説明を省略する。
【００６３】
第１の実施の形態における管理サーバ１の受付部１１１は、ユーザ端末２から送信されたユーザ情報を受け付けていた。しかしながら、本実施の形態では、まず、ユーザ端末２においてユーザ情報が匿名化される（Ｓ３０２）。
【００６４】
匿名化は、個人が識別できない状態にする加工であり、例えばｋ−匿名化などが例示できるがこれ以外の方法であってもよい。また、情報のクラスタリングによる上位概念化、カテゴリ化等により、情報を抽象化することとしてもよい。
【００６５】
受付部１１１は、ユーザ端末２によって匿名化されて送信された匿名ユーザ情報をユーザ情報記憶部１５１に記憶する（ステップＳ３０６）。
【００６６】
その後、上述した第１の実施の形態と同様に、受付部１１１は、事業者端末３から広告の配信先候補を検索する要求を受け付ける（ステップＳ３０８）。本実施形態では、受付部１１１は、事業者端末３から広告の配信先候補を抽出するための検索条件を受け付ける。
【００６７】
本実施の形態による抽出部１１２は、更に、匿名ユーザ情報と、検索条件とをマージするための手段を有している。即ち、例えば、匿名化されたユーザ情報にタグ付け等を行うことにより、それをキーにして検索条件とマッチング可能となる。
【００６８】
抽出部１１２は、事業者からの要求により、広告の配信先候補となるユーザを抽出する（ステップＳ３１２）。本実施形態では、抽出部１１２は、ユーザ情報記憶部１５１を参照し、事業者端末３から送信された検索条件に合致する一又は複数のユーザを抽出（検索）する。
【００６９】
抽出部１１２は、広告の配信先候補として抽出（検索）した結果を事業者端末３に送信する（ステップＳ３１４）。本実施形態では、抽出部１１２は、上記ステップＳ３１２で抽出したユーザ数を事業者端末３に送信する。
【００７０】
その後、受付部１１１は、事業者端末３からオファーを送信する要求を受け付ける（ステップＳ３１６）。本実施形態では、受付部１１１は、事業者端末３においてオファー実行ボタン５０２が押下された場合に、事業者端末３からオファーを送信する要求を受け付ける。
【００７１】
このような構成によれば、管理サーバ１は、実質的に個人情報を保有することがなく、コンテンツのマッチングを安全に行うことが可能となる。
【００７２】
＜第３の実施の形態＞
上述した実施の形態においては、ユーザの情報は管理サーバ１において記憶・管理することとしていた。しかしながら、ユーザ情報をユーザ端末側で管理することとしてもよい。これにより、個人情報を含むユーザ情報をユーザ端末から外に出すことなくシステムを提供することが可能となる。
【００７３】
図１４に示されるように、管理サーバの抽出部は、事業者からの要求（条件情報）に基づいて、確認リクエストをユーザ端末に送信してこの条件情報を満たすユーザ端末から要求充足情報を送信させる。これにより、管理サーバ１においては、事業者側が所望とする条件を満たすユーザ端末の情報を得ることができる。こうして得たユーザ端末に対して上述したオファー情報を送信する。
【００７４】
また、図１５に示されるように、ユーザ情報は分散型台帳技術により所定の端末に分散して保持させることとしてもよい。この場合、管理サーバは、複数のユーザそれぞれから利用を許諾された各自のユーザ情報及び当該ユーザ情報に関連付けられた識別情報を取得する。
【００７５】
事業者からの要求により、ユーザ情報に基づいて識別情報を抽出する抽出部と、
抽出された識別情報に関連づけられたユーザに対してオファー情報を配信することとしてもよい。
＜第４の実施の形態＞
本実施の形態においては、ユーザの獲得したコイン等の経済的価値の取引履歴を可視化することが可能となる。
【００７６】
即ち、管理サーバ１は、ユーザからのリクエストに応じて、少なくとも、コインの付与の履歴、他の対価への交換の履歴、対価の失効の履歴に関する情報を提供するポイント履歴提供部を備えている。
【００７７】
この場合、例えば、図１６に示されるように、日付、ユーザ又はシステム側が起こしたアクション、コインの変動量に関する項目を添えたテーブル等にて履歴を管理すればよい。
【００７８】
図示されるように、テーブルには、提供情報の欄が設けられている。即ち、コインが付与された際に、どのような情報を提供したのかがわかる。当該部分は、ユーザにとっての自分の情報の価値に等しい意味を持つ。
【００７９】
＜第５の実施の形態＞
本実施の形態においては、ユーザが事業者端末に提供したユーザ情報の使われ方や提供先を可視化することが可能となる。
【００８０】
管理サーバ１は、ユーザからのリクエストに応じて、少なくとも、ユーザ情報の利用履歴を提供する情報履歴提供部を備えている。
【００８１】
この場合、例えば、図１７に示されるように、日付、情報の提供先、提供された情報を少なくとも含むテーブルで管理される。
【００８２】
ユーザは、自己の情報が誰に対して使用されたのかを知ることができる。
【符号の説明】
【００８３】
１      管理サーバ
２      ユーザ端末
３      通信ネットワーク
１１１  受付部
１１２  抽出部
１１３  配信部
１１４  付与部
１５１  ユーザ情報記憶部
１５２  コンテンツ情報記憶部
１５３  コイン情報記憶部
【図１】
2020119485.tif 000003
【図２】
2020119485.tif 000004
【図３】
2020119485.tif 000005
【図４】
2020119485.tif 000006
【図５】
2020119485.tif 000007
【図６】
2020119485.tif 000008
【図７】
2020119485.tif 000009
【図８】
2020119485.tif 000010
【図９】
2020119485.tif 000011
【図１０】
2020119485.tif 000012
【図１１】
2020119485.tif 000013
【図１２】
2020119485.tif 000014
【図１３】
2020119485.tif 000015
【図１４】
2020119485.tif 000016
【図１５】
2020119485.tif 000017
【図１６】
2020119485.tif 000018
【図１７】
2020119485.tif 000019